(57)【要約】      （修正有）【課題】凍えた手をポケットの中で持続的にかつ安全に暖めることができる上、温かいものを手で握ることによる安心感や癒し効果を与えることができる衣服を提供する。【解決手段】着用状態で手を入れられるポケット２内に、少なくとも一部が吸湿発熱性材料よりなりかつ手で握ることができる加温体３Ａが設けられている。加温体は、袋３１の中に吸湿発熱性繊維を少なくとも一部に使用した綿を詰め込んでなる加温クッション材であり、加温クッション材は、ポケットの内側袋布２２に、手の挿入方向に沿って垂れ下がるように装着されているのが好ましい。【選択図】図３
0003200795.tif 000002
【実用新案登録請求の範囲】
【請求項１】
着用状態で手を入れられるポケット内に、少なくとも一部が吸湿発熱性材料よりなりかつ手で握ることができる加温体が設けられていることを特徴とする、衣服。
【請求項２】
加温体が、袋の中に、吸湿発熱性繊維を少なくとも一部に使用した綿を詰め込んでなる加温クッション材であることを特徴とする、請求項１記載の衣服。
【請求項３】
加温クッション材が、ポケットの身体側の布に、手の挿入方向に沿って垂れ下がるように装着されていることを特徴とする、請求項２記載の衣服。
【請求項４】
加温クッション材の袋が、吸湿発熱性繊維を少なくとも一部に使用した布よりなることを特徴とする、請求項２または３記載の衣服。
【請求項５】
加温クッション材の袋が、好触感性を有する布よりなることを特徴とする、請求項２〜４のいずれか１つに記載の衣服。
【請求項６】
加温体が、２枚の布の間に、吸発熱性繊維を少なくとも一部に使用した綿を挟んで、これらを縫い合わせることにより形成された加温キルティング材であることを特徴とする、請求項１記載の衣服。
【請求項７】
加温キルティング材が、ポケット内を内外２つの区画に仕切るように設けられていることを特徴とする、請求項６記載の衣服。
【請求項８】
加温キルティング材の２枚の布が、吸湿発熱性繊維を少なくとも一部に使用した布よりなることを特徴とする、請求項６または７記載の衣服。
【請求項９】
加温キルティング材の２枚の布が、好触感性を有する布よりなることを特徴とする、請求項６〜８のいずれか１つに記載の衣服。
【考案の詳細な説明】
【技術分野】
【０００１】
この考案は、ポケットを備えた衣服、具体的には、例えばコート、ジャケット、パーカー、トレーナー、ベスト、パンツ、スカート等の衣服に関する。
【背景技術】
【０００２】
例えばコートの両脇部には、着用状態で手を入れることができ、一般にハンドウォーマーポケットと称されているポケットが付いているが、寒さで凍えた手は、同ポケットに入れただけでは、十分に温めることができなかった。
【０００３】
そこで、従来、鉄粉の酸化作用を利用した、いわゆる使い捨てカイロを、コート等のポケット内に入れたり、あるいはポケットを形成する袋布に貼ったりして、同カイロにより手を温めることが提案されている（下記の特許文献１参照）。
また、ポケットの袋布として吸発熱性繊維が使用された衣服も提案されている（下記の特許文献２参照）。
【先行技術文献】
【特許文献】
【０００４】
【特許文献１】特開２００４−２３７０５２号公報
【特許文献２】特開２００６−１２４９０７号公報
【考案の概要】
【考案が解決しようとする課題】
【０００５】
しかしながら、使い捨てカイロを使用して衣服のポケット内で手を温める場合、カイロの発熱持続時間内でしか効果が得られず、経済的でない上、カイロが手に直接触れると低温やけどを起こすおそれがあった。また、使い捨てカイロを手で握っていると、外側の袋が破れて中の鉄粉がポケット内にこぼれ出すおそれがあった。
一方、ポケットの袋布として吸発熱性繊維が使用された衣服の場合、ポケットに入れた手から出る水蒸気により袋布の吸発熱性繊維が発熱し、それによって手が温められるが、ポケット内には、手で握ることにより安心感や癒し効果を与えられるものがない。
【０００６】
この考案は、上記の課題に鑑みて考案されたものであって、凍えた手をポケットの中で持続的にかつ安全に温めることができる上、安心感や癒し効果を与えることができる衣服を提供することを目的とする。
【課題を解決するための手段】
【０００７】
この考案は、上記の目的を達成するために、以下の態様からなる。
【０００８】
１）着用状態で手を入れられるポケット内に、少なくとも一部が吸湿発熱性材料よりなりかつ手で握ることができる加温体が設けられていることを特徴とする、衣服。
【０００９】
２）加温体が、袋の中に、吸湿発熱性繊維を少なくとも一部に使用した綿を詰め込んでなる加温クッション材であることを特徴とする、上記１）の衣服。
【００１０】
３）加温クッション材が、ポケットの身体側の布に、手の挿入方向に沿って垂れ下がるように取り付けられていることを特徴とする、上記２）の衣服。
【００１１】
４）加温クッション材の袋が、吸湿発熱性繊維を少なくとも一部に使用した布よりなることを特徴とする、上記２または３の衣服。
【００１２】
５）加温クッション材の袋が、好触感性を有する布よりなることを特徴とする、上記２）〜４）のいずれか１つの衣服。
【００１３】
６）加温体が、２枚の布の間に、吸発熱性繊維を少なくとも一部に使用した綿を挟んで、これらを縫い合わせることにより形成された加温キルティング材であることを特徴とする、上記１）の衣服。
【００１４】
７）加温キルティング材が、ポケット内を内外２つの区画に仕切るように設けられていることを特徴とする、上記６）の衣服。
【００１５】
８）加温キルティング材の２枚の布が、吸湿発熱性繊維を少なくとも一部に使用した布よりなることを特徴とする、上記６）または７）の衣服。
【００１６】
９）加温キルティング材の２枚の布が、好触感性を有する布よりなることを特徴とする、上記６）〜８）のいずれか１つの衣服。
【考案の効果】
【００１７】
上記１）の衣服にあっては、ポケットに入れた手から発散した水蒸気により、加温体の吸湿発熱性材料が吸湿発熱し、それによって手が心地良く温められる。また、発熱して温かくなった加温体を手で握ることで、安心感や癒し効果が得られる。
従って、上記１）の衣服によれば、加温体により、凍えた手をポケットの中で持続的にかつ安全に暖めることができる上、安心感や癒し効果を与えることができる。
【００１８】
上記２）の衣服によれば、加温体が、袋の中に、吸湿発熱性繊維を少なくとも一部に使用した綿を詰め込んでなる加温クッション材であるので、手で握りやすい上、握った時に柔らかい感触が得られ、安心感や癒し効果が得られやすい。
【００１９】
上記３）の衣服によれば、ポケットの中に入れた手で加温クッション材を自然な状態で楽に握ることができるので、安心感や癒し効果が得られ易い。
【００２０】
上記４）の衣服によれば、加温クッション材の袋が吸湿発熱性繊維を少なくとも一部に使用した布よりなるので、加温クッション材からの発熱量が増大し、手を温める効果がより一層高められる。
【００２１】
上記５）の衣服によれば、加温クッション材の袋が好触感性を有する布よりなるので、手で握った際の触感が高められ、より一層の安心感や癒し効果が得られる。
【００２２】
上記６）の衣服によれば、加温体が、２枚の布の間に、吸発熱性繊維を少なくとも一部に使用した綿を挟んで、これらを縫い合わせることにより形成された加温キルティング材であるので、握った時に柔らかい感触が得られ、安心感や癒し効果が得られやすい。また、上記６）の衣服によれば、手を入れていない状態でのポケットの膨らみが抑えられる。
【００２３】
上記７）の衣服によれば、ポケットの中に入れた手で、加温キルティング材を、両側から挟むようにして楽に握ることができるので、安心感や癒し効果が得られ易い。
【００２４】
上記８）の衣服によれば、加温キルティング材の２枚の布が吸湿発熱性繊維を少なくとも一部に使用した布よりなるので、加温キルティング材からの発熱量が増大し、手を温める効果がより一層高められる。
【００２５】
上記９）の衣服によれば、加温キルティング材の２枚の布が好触感性を有する布よりなるので、手で握った際の触感が高められ、より一層の安心感や癒し効果が得られる。
【図面の簡単な説明】
【００２６】
【図１】この考案の第１の実施形態に係るコートの正面図である。
【図２】同コートの要部を拡大して示す切欠き正面図である。
【図３】同コートの使用状態を示す部分切欠き正面図である。
【図４】（ａ）は、この考案の第２の実施形態に係るコートの使用状態を示す部分切欠き正面図であり、（ｂ）は、同コートの加温キルティング材の部分拡大断面図である。
【考案を実施するための形態】
【００２７】
以下、この考案の実施形態を、図面を参照して説明する。
【００２８】
＜第１の実施形態＞
図１〜図３は、この考案による第１の実施形態のコートを示すものである。
図示のコート(1)は、その左右両脇部に、着用状態で手を入れられるポケット(2)を備えている。各ポケット(2)内には、少なくとも一部が吸湿発熱性材料よりなりかつ手で握ることができる加温体(3A)が設けられている。
【００２９】
各ポケット(2)は、前身頃側となる外側袋布(21)および身体側となる内側袋布(22)を重ね合わせて、これらの縁部どうしを、傾斜状の口縁部を残して縫着するとともに、両袋布(21)(22)の口縁部を、コート(1)の前身頃(10)の脇部に縦方向に切り込まれたポケット口(11)の両縁部にそれぞれ縫着することにより形成されている。
内側袋布(22)の表面（ポケット(22)内に臨む面）における口縁部に沿う部分に、向こう当て布(23)が重ねられて縫着されている。
前身頃(10)には、ポケット口(11)を装飾するために長方形状の箱布(24)が縫着されている。
【００３０】
加温体(3A)は、袋(31)の中に、吸湿発熱性繊維を少なくとも一部に使用した綿(32)を詰め込むことにより形成された加温クッション材よりなる。加温クッション材(3A)は、正面よりみて略舌状をしている。
加温クッション材(3A)の外側の袋(31)を構成する布としては、例えばベア天竺や起毛素材のような好触感性を有する布が好適に用いられるが、綿布等の通常の布であっても構わない。また、袋(31)を構成する布として、吸湿発熱性繊維、例えば、帝人フロンティア株式会社製「サンバーナー」(登録商標)等を少なくとも一部に使用したものを用いてもよく、それによって後述する加温クッション材(3A)による加温効果がより一層高められる。
加温クッション材(3A)の袋(31)の中に詰め込まれる綿(32)に使用される吸湿発熱性繊維としては、例えば、帝人フロンティア株式会社製「サンバーナー」(登録商標)等を挙げることができる。吸湿発熱性繊維の混合率は、特に限定されないが、通常５〜２０％程度となされる。綿(32)の重量も、特に限定されないが、加温クッション材(3A)を手で握り易いサイズにするため、通常２ｇ／袋程度となされる。
【００３１】
上記の加温クッション材(3A)は、その直線状の縁部が、内側袋布(22)と向こう当て布(23)との間に挟み込まれた状態で、向こう当て布(23)とともに内側袋布(22)に縫着されている。言い換えれば、加温クッション材(3A)は、図２に矢印(A)で示す手の挿入方向に沿って垂れ下がるように、内側袋布(22)に縫着されている。
なお、加温クッション材(3A)は、例えば面ファスナーやホック等によって、内側袋布(22)に固定状に取り付けられてもよく、そのようにすれば、加温クッション材(3A)を必要に応じて簡単に着脱することができる。
【００３２】
図３に示すように、コート(1)を着用してポケット(2)に手(B)を入れると、加温クッション材(3A)を自然な状態で楽に握ることができる。
そして、手(B)から発散した水蒸気により、加温クッション材(3A)の袋(3)内に詰め込まれた綿(32)の吸湿発熱性繊維が吸湿発熱し、その熱によって、凍えた手(B)が心地良く温められる。加温クッション材(3A)による加温の度合いは、綿(32)に使用される吸湿発熱性繊維の量や、気温・湿度・体温等の外的要因によっても変動するが、通常、加温クッション材(3A)からの発熱によって１〜２℃程度の温度上昇が認められ、その効果は、手(B)によって加温クッション材(3A)が握られている間、ほぼ持続する。
また、柔らかく触感に優れておりかつ発熱によって温かくなった加温クッション材(3A)を、手(B)で握ることにより、安心感や癒し効果が得られる。
さらに、加温クッション材(3A)の袋(31)は、布製であって、繰り返し握っても容易に破れない上、中身が綿(32)であるので、使い捨てカイロを使用した場合のように中身がこぼれ落ちてポケット(2)内を汚すおそれがない。
【００３３】
＜第２の実施形態＞
図４は、この考案による第２の実施形態のコートを示すものである。
図４に示す通り、この実施形態のコートでは、加温体として、２枚の布(33)の間に、吸発熱性繊維を少なくとも一部に使用した綿(34)を挟んで、これらを縫い合わせることにより形成された加温キルティング材(3B)が用いられている。
加温キルティング材(3B)は、ポケット(2)内を内外２つの区画に仕切るように設けられている。より詳しく言うと、加温キルティング材(3B)は、ポケットの外側袋布(21)および内側袋布(22)の底側約半分に重ねられるような大きさおよび形状を有するものであって、外側袋布(21)および内側袋布(22)間に挟まれた状態で、その周縁部のうち傾斜状のポケット口側縁部を除いた部分が、外側袋布(21)および内側袋布(22)の縁部と縫い合わせられることにより、ポケット(2)内に装着されている。
加温キルティング材(3B)の表裏２枚の布(33)としては、例えばベア天竺や起毛素材のような好触感性を有する布が好適に用いられるが、綿布等の通常の布であっても構わない。また、上記布(33)として、吸湿発熱性繊維、例えば、帝人フロンティア株式会社製「サンバーナー」(登録商標)等を少なくとも一部に使用したものを用いてもよく、それによって加温キルティング材(3B)による加温効果がより一層高められる。
加温キルティング材(3B)の綿(34)に使用される吸湿発熱性繊維としては、例えば、帝人フロンティア株式会社製「サンバーナー」(登録商標)等を挙げることができる。吸湿発熱性繊維の混合率は、特に限定されないが、通常５〜２０％程度となされる。綿(34)の重量も、特に限定されないが、加温キルティング材(3A)の厚みが大きくなりすぎてポケット(2)が膨らんで見えないように、通常、１ｍ２当たり４０〜６０ｇ程度となされる。
なお、加温キルティング材(3B)は、図示のようなポケット(2)の底まで達するものには限定されず、ポケット(2)の深さ方向の中間部分にバンド状に設けられたものであっても構わない。
【００３４】
図４（ａ）に示すように、コートを着用してポケット(2)に手(B)を入れると、加温キルティング材(3B)を内外両側から挟むようにして楽に握ることができる。
そして、手(B)から発散した水蒸気により、加温キルティング(3B)の綿(34)の吸湿発熱性繊維が吸湿発熱し、その熱によって、凍えた手(B)が心地良く温められる。また、柔らかく触感に優れておりかつ発熱によって温かくなった加温キルティング材(3B)を、手(B)で握ることにより、安心感や癒し効果が得られる。しかも、加温キルティング材(3A)は、使い捨てカイロを使用した場合のように中身がこぼれ落ちてポケット(2)内を汚すおそれが全くない。
また、この実施形態では、加温キルティング材(3B)が使用されているため、手を入れていない状態でポケット(2)が膨らむのを抑えることができる。
加温キルティング材(3B)により手を温める場合、上記のようにこれを手(B)で握る他、例えば、ポケット(2)内における加温キルティング材(3B)よりも内側区画に手を入れれば、手の甲側を加温キルティング材(3B)から発せられる熱によって温めることができ、また、ポケット(2)内における加温キルティング材(3B)よりも外側区画に手を入れれば、手のひら側を加温キルティング材(3B)から発せられる熱によって温めることができる。
【００３５】
なお、この考案が適用される衣服は、上記コートの他、ジャケット、パーカー、トレーナー、ベスト、パンツ、スカートといったポケット付きのアウターウェアであってもよく、さらには、ポケット付きのマフラーであってもよい。
また、衣服のポケットも、上述したハンドウォーマーポケットのような構造のものに限らず、その他の種々の構造のものが適用対象となる。
さらに、加温体の形状・材料等についても、上記のものには限らず、この考案による効果が奏される範囲で種々のアレンジが可能である。
【符号の説明】
【００３６】
(1)：コート（衣服）
(2)：ポケット
(21)：外側袋布
(22)：内側袋布（ポケットの身体側の布）
(3A)：加温クッション材
(31)：袋
(32)：吸湿発熱性繊維を使用した綿（吸湿発熱性材料）
(3B)：加温キルティング材
(33)：布
(34)：吸湿発熱性繊維を使用した綿（吸湿発熱性材料）
【図１】
0003200795.tif 000003
【図２】
0003200795.tif 000004
【図３】
0003200795.tif 000005
【図４】
0003200795.tif 000006